(57)【要約】    【課題】  建築材としての価値が低く、用途が制限されている間伐材を魚礁に用いた、間伐材が消失した後も魚類の生息空間を維持し、魚介類増殖効果を発揮する耐用年数の高い魚礁を提供する。    【解決手段】  コンクリートパネルの上下の面を貫通して埋め込んだ複数本の間伐材を突設させて一体形成した魚礁用部材と枠状コンクリートパネルの棚部に複数本の間伐材を敷き詰め固定した魚礁用部材とを複数枚棚状に重ね合わせて連結する。両部材間に魚類の生息に適した空間が確保され、コンクリートに埋め込まれた間伐材が消失した跡には貫通孔が形成され、魚類の餌生物や幼仔魚の生息場所となるとともに、棚状空間への通水性を確保する。【選択図】  なし               【特許請求の範囲】
【請求項１】
コンクリートパネルの上下の面を貫通して埋め込んだ複数本の間伐材を突設させて一体形成した魚礁用部材。
【請求項２】
枠状コンクリートパネルの棚部に複数本の間伐材を敷き詰め固定した魚礁用部材。
【請求項３】
請求項１記載の魚礁用部材を１以上と、請求項２記載の魚礁用部材を１以上とを棚状に重ね合わせて連結し、両部材間に空間を形成させた魚礁。
【請求項４】
請求項３記載の魚礁をコンクリート製魚礁または鋼鉄製魚礁に連結した魚礁。
【請求項５】
請求項１および／または請求項２記載の魚礁用部材を2枚以上組み合わせてなる魚礁。
【発明の詳細な説明】
【技術分野】
【０００１】
本発明は、間伐材とコンクリートとを組み合わせた魚礁用部材に関する。また、本発明は、間伐材とコンクリートとを組み合わせた魚礁用部材からなる魚礁に関する。
【背景技術】
【０００２】
海底に沈設した構造物、例えば、石材、船、バス等に魚介類が集まる習性を利用した魚礁は、全国各地の沿岸漁場に設置されている。特に昭和51年度以降に魚礁の沈設による沿岸漁業の振興が国や地方自治体の公共事業として取り入れられたことで、コンクリートや鋼材を素材とした魚礁が数多く開発され、海底に沈設されるようになった。
【０００３】
一方、全国各地で植林された山林では、立ち木の密度を疎にして優良な樹木の発育を助けるために間伐されるが、この間伐により間伐材は大量に産出される。しかし、この間伐材は規格が小さく建築材としての価値が低く、したがって、用途が制限され、その有効利用があらゆる分野で検討されている。
【０００４】
最近は、間伐材を魚礁に応用し、海中に沈設する事例が増えつつある。一般的に木材を海中に設置すると、木材表面等に棲みつく生物が魚介類の餌になり、魚介類が生息するようになる。ただし、木材は海中に設置すると、フナクイムシ等による食害を受け、短くて1年、長くて5年で消失してしまう。このように木材は海中においての耐久性が極めて低く、公共事業として行う場合の耐用（30年）を考えれば、あくまで魚礁機能を補助する部材としての使用に限定されている。
【０００５】
現在行われている間伐材を魚礁として利用する方法としては間伐材を井桁状等に組み合わせて海中に沈設する方法が行われている。他に、間伐材を人工魚礁に利用する方法としてはコンクリートまたは鉄鋼からなる基枠部の上に間伐材を井桁状等に組み合わせて捨石で固定した間伐材取替え式人工魚礁が公開されている。（例えば、特許文献１参照）。この方法では間伐材は短期間で消失してしまうので、消失したら引き揚げて新たに間伐材を組み合わせ再構築して沈設するようになっている。しかし、再び引き揚げて再構築するのはかえって難しく、新たに構築した方が簡単であるという欠点がある。また、間伐材もしくは金属部材を井桁状等に組み合わせて、その上に自然石を綱で連結して固定した人工魚礁が公開されている。（例えば、特許文献２参照）。しかし、この方法によっても間伐材は短期間で消失してしまい、消失した後は魚礁としての用を為さない。また、他の方法として有孔面材で形成した容器内に間伐材や貝殻等を充填した容器からなる人工魚礁が公開されている。（例えば、特許文献３参照）。この方法では間伐材は容器内に少量しか収納できず、しかも短期間で消失してしまうし、容器を製造するのに材料量を多く必要とするので重量も重くなりコストもかかる。
【０００６】
また、間伐材ではなく通常の原木を使用する方法であるが、基盤の上面に間隔をあけて原木を多数本起設させた基盤からなる人工魚礁が公開されている。（例えば、特許文献４参照）。この方法によっても原木は短期間で消失してしまい、原木が消失した後は一枚の基盤だけが残り、砂に埋没したりしてこれも魚礁としての用を為さない。
【特許文献１】特開2003-225033号公報
【特許文献２】特開2003-105316号公報
【特許文献３】特開2003-169563号公報
【特許文献４】特開平8-294343号公報
【発明の開示】
【発明が解決しようとする課題】
【０００７】
間伐材や原木を用いた従来の魚礁では、設置直後は海藻や生物が付着し魚礁としての効果は大きいが、フナクイムシ等による食害を受けて間伐材や原木が消失した後は、土台のみが残るだけであり、魚礁としての機能は期待できなくなり、結果的にコストが高くなっているのが現状である。
本発明は、間伐材が存在する期間は間伐材のもつ魚介類増殖効果を発揮し、間伐材が消失した後も魚類の生息空間を維持、あるいは新たに創出できるという耐用年数の高い魚礁を提供することを課題とする。
【課題を解決するための手段】
【０００８】
本発明者らは、これらの問題点を鑑み、間伐材を利用した魚礁について、鋭意、探索を進め、間伐材とコンクリートからなる魚礁用コンクリートパネル、及びこのパネルを組み合わせてなる魚礁を完成するに至った。
すなわち、本発明は、特許請求の範囲に記載した下記の構成からなる発明である。
（1）  コンクリートパネルの上下の面を貫通して埋め込んだ複数本の間伐材を突設させて一体形成した魚礁用部材。
（2）  枠状コンクリートパネルの棚部に複数本の間伐材を敷き詰め固定した魚礁用部材。
（3）  （1）に記載の魚礁用部材を1以上と、（2）に記載の魚礁用部材を1以上とを棚状に重ね合わせて連結し、両部材間に空間を形成させた魚礁。
（4）  （3）に記載の魚礁をコンクリート製魚礁または鋼鉄製魚礁に連結した魚礁。
（5）  （1）および／または（2）に記載の魚礁用部材を2枚以上組み合わせてなる魚礁。
【発明の効果】
【０００９】
本発明の魚礁用部材を利用した魚礁は、魚礁用部材を構成する間伐材が存在する期間は、間伐材の表面や間隙に、付着・潜入動物が繁殖し魚介類の餌になるため、魚介類に対する増殖効果を発揮し、魚介類の生息効果を発揮する。間伐材が消失した後も、コンクリートパネル間に棚状空間が維持され、岩礁性魚類の索餌場、あるいは隠れ家となり、幼仔魚の保育場となり、また微細な渦流を発生させるため、プランクトンの定位にも有効である。またコンクリートに埋め込まれた間伐材が消失した跡には貫通孔が形成され、餌生物の生息や幼仔魚の隠れ場として適当な空間になるとともに、棚状空間への通水性を確保することができる。また、広いコンクリート面には、多くの付着生物が着生し、魚類の格好な餌場となる。さらに集まった小型魚類を捕食する大型魚類の餌場ともなる。また、コンクリートパネルの裏側は付着性の卵塊を産卵するイカ類等の格好の産卵場所となり、魚礁を中心とした一つの生態系が形成される。
【００１０】
このように、本発明により、間伐材が存在する期間は間伐材のもつ魚介類増殖効果を発揮し、間伐材が消失した後も魚介類および餌生物の生息空間を維持、あるいは新たに創出できるという耐用年数の高い魚礁を提供することが可能となる。
【発明を実施するための最良の形態】
【００１１】
本発明は、コンクリートパネルの上下の面を貫通して埋め込んだ複数本の間伐材を突設させて一体形成した魚礁用部材（以下、パネルＡという)である。
また、本発明は、枠状コンクリートパネルに設けた棚部に複数本の間伐材を敷き詰め固定した魚礁用部材（以下、パネルＢという)である。
さらにまた、本発明は、前記のパネルＡを１以上と、パネルＢを１以上とを複数枚棚状に重ね合わせて連結し、両部材間に魚類の生息に適した棚状空間を形成させた魚礁である。
さらにまた、前記のパネルＡおよび／または前記のパネルＢを組み合わせた魚礁を既存の魚礁に装着して、より大型の魚礁として効果を増強した魚礁である。
【００１２】
本発明の、コンクリートパネルの上下の面を貫通して埋め込んだ複数本の間伐材を突設させて一体形成した魚礁用部材（パネルＡ)の立面形状は平板状であるのが好ましく、コンクリートパネルの棚部に複数本の間伐材を敷き詰め固定した魚礁用部材（パネルＢ)の形状は間伐材を載置する棚部と桟を持った平板枠状が好ましい。両パネルの平面の形状は、四角形、三角形など任意の形でよいがパネルＡおよびパネルＢを複数枚棚状に重ね合わせて連結する場合には、両パネルは同じ大きさの平面形状にすることが好ましい。
【００１３】
魚礁用部材の大きさは矩形の場合、一辺が１ｍから１０ｍと任意に選ぶことができる。上記の範囲より小さいと魚礁としての用を為さないし、上記の範囲より大きいと、製造や運搬、沈設が難しくなる。
魚礁用部材の構造はコンクリート、鉄筋コンクリート、鉄筋鉄骨コンクリートのいずれであってもよい。コンクリートに使用するセメントは普通ポルトランドセメントあるいは高炉セメントであっても、他のセメントであっても使用可能である。
【００１４】
本発明に用いる間伐材はスギ、ヒノキやその他どのような種類の間伐材であってもよい。通常の原木や廃材も使用することができる。パネルＡに用いる間伐材の大きさは直径１０〜３０ｃｍ、長さ２０〜５０ｃｍ以下が好ましく、パネルＢに用いる間伐材の大きさは直径１０〜３０ｃｍ、長さ１００〜５００ｃｍ程度が好ましいが、コンクリートパネルの大きさ、および流通する間伐材の規格に合わせて任意に選ぶことができ、不均一な規格である間伐材でも容易に施工することができる。
【００１５】
以下、本発明に係る間伐材とコンクリートからなる魚礁用部材の実施形態について、図面を参照しつつ説明する。
【００１６】
本発明の間伐材とコンクリートからなる魚礁用部材は、前記したように、その形状から二種類の魚礁用部材からなる。
ひとつは鋼鉄製の型枠を用いてコンクリートパネルを形成する際に間伐材を複数本コンクリートパネルの上下の面を貫通して埋め込んで一体形成した魚礁用部材（パネルＡ）である。他の魚礁用部材（パネルＢ）は鋼鉄製の型枠を用いてコンクリートの枠を形成し、このコンクリート枠のそれぞれの辺に設けた棚部に複数本の間伐材を敷き詰め、この敷き詰めた間伐材が流出しない様に等辺山形鋼等で係止した人工魚礁用部材（パネルＢ）である。
【００１７】
図１は本発明の魚礁用部材の一例を上面からみた斜視図であり、図１ＡはパネルＡの一実施形態を、図１Ｂ−１はパネルＢの一実施形態、図１Ｂ−２はパネルＢの他の実施形態を例示している。
【００１８】
図２は本発明の魚礁用部材の一例を下面からみた斜視図であり、図２ＡはパネルＡの一実施形態を、図２Ｂ−１はパネルＢの一実施形態を、図２Ｂ−２はパネルＢの他の実施形態を例示している。
【００１９】
魚礁用部材（パネルＡ）は鋼鉄製の型枠を用いてコンクリートパネル（2）を形成する際に、間伐材（1）を複数本コンクリートパネルの上下の面を貫通して埋め込んで一体形成する。図２Ａに見られるように間伐材１がコンクリートパネル（2）の上下の面を貫通して埋め込むことが本発明の特徴の一つであり、この様に埋め込むことにより、魚礁を沈設後、間伐材消失前は、突出した間伐材の間隙が魚類に格好な生育場となり、間伐材が消失した跡には貫通孔が形成され、魚類の餌生物や幼仔魚の生息場として適度な空間になるとともに、棚状空間への通水性を確保する。また、貫通孔による下向きの水流が堆積した砂泥を掃きだす流れを発生させる効果もある。
【００２０】
他の魚礁用部材（パネルＢ）は鋼鉄製の型枠を用いてコンクリートの枠（2）を形成し、このコンクリート枠（2）のそれぞれの辺に設けた棚部(4）に複数本の間伐材（1）を敷き詰め、この敷き詰めた間伐材が流出しない様に等辺山形鋼(5）等で係止した人工魚礁用部材である。図２Ｂ−１およびＢ−２に見られるようにコンクリートの棚部(4）が間伐材（1）を支持し、魚礁を沈設後、間伐材が消失した跡は、魚類の隠れ家の遮蔽物となる。パネルＢは間伐材の並べ方の違いにより、図２Ｂ−１およびＢ−２に図示したように2種類が例示されるが、重ね合わせて魚礁とする際には交互に設置する方が魚礁を沈設後に複雑な渦流が発生し優れた蝟集効果を発揮するので好ましい。コンクリートパネルの四隅には柱部(3）を立設し、パネルＡおよびパネルＢを重ね合わせて魚礁とする際に支柱となり、両部材間に魚類の生息に適した空間を形成させる。また、柱部(3）にはシャフト孔(6）を穿設し、パネルＡおよびパネルＢを重ね合わせて魚礁とする際にシャフトにより連結する。
【００２１】
魚礁用部材パネルＡおよびパネルＢを複数枚棚状に重ね合わせて連結した一例を図3に示す。両部材を連結することにより、魚礁を沈設後、両部材間の空間が魚類の生息に適した隠れ家となる。両部材間の間隔は30ｃｍ程度が幼仔魚類の生育にとってもっとも好ましい。間伐材が消失した後、パネルＡは魚類の隠れ家の遮蔽物の用を為し、貫通孔が形成されているので、魚類の餌生物や幼仔魚の生育場所となるとともに、棚状空間への通水性を確保する。パネルＢはコンクリートによる棚状空間を維持する。両部材の重ね合わせの順序は任意であるが、パネルＡの間伐材は高さがあり中間部に設置すると空間が確保できないので最上部に設置することが好ましい。また、最上部に設置することにより、コンクリートパネルが魚類の隠れ家の遮蔽物として機能し、またパネルＢからの間伐材流失を防ぐことができる。この魚礁用部材パネルＡおよびパネルＢを複数枚棚状に重ね合わせて連結した本発明魚礁はこのままでも魚礁として使用できるが、底部にコンクリートを打設してコンクリート基盤を形成した魚礁とすることもできる。この方が安定性に優れ、また海底の砂泥に埋没しにくい。
【００２２】
このように、魚礁用部材のパネルＡおよびパネルＢを複数枚棚状に重ね合わせて連結すると両部材間に魚類の生息に適した空間を形成させた本発明の魚礁となり、このままで魚礁として使用できるが、この魚礁をさらにＦＰ魚礁（海洋土木株式会社製）等の既存のコンクリート製魚礁(7）または鋼鉄製魚礁に連結させることも可能である。既存の魚礁と連結させることにより、空間の複雑さと高さの両方を兼ね備えた魚礁となり、集魚機能と増殖機能を強化することができる。この一例を図4に示す。図4には本発明の魚礁用部材パネルＡの一類型を既存のコンクリート製魚礁(7）の本体下部に金具で取り付けた例も同時に示している。
【００２３】
本発明の魚礁用部材だけを2枚以上組み合わせても魚礁として利用することができる。この一例を図５に示す。図５では魚礁用部材パネルＡの一類型（パネルＣ)を4枚組み合わせた例を示しているが、組み合わせ数は任意に選ぶことができる。この方法によっても、魚礁を沈設後、魚礁用部材間の空間が魚類の生息に適した隠れ家となり、上部開口部が魚類の通路となる。間伐材が消失した後はパネルＣは魚類の隠れ家の遮蔽物としての用を為し、また貫通孔が形成されているので、魚類の隠れ家への通路となるとともに、空間への通水性を確保する。魚礁用部材パネルＢだけを組み合わせても、あるいはパネルＡおよびパネルＢの両方を組み合わせても本発明の魚礁とすることができる。
【００２４】
以下に実施例を示し、本発明についてより詳細に説明するが、これらは単に例示するのみであり、本発明はこれらによって何ら限定されるものではない。
【実施例１】
【００２５】
鋼鉄製の型枠（２７０×２７０×３０ｃｍ）を組み立て、構造上必要な鉄筋を配置し、直径１０〜２０ｃｍ、長さ３０〜５０ｃｍのスギの間伐材の断面を底部にして一定の間隔で配置し、レディーミクストコンクリートを間伐材の基部が埋まる様に打設する。シートかけおよび散水により養生した後、型枠を脱型し、本発明の人工魚礁用部材（パネルＡ）を得た。
【実施例２】
【００２６】
鋼鉄製の型枠（２７０×２７０×３５ｃｍ）を組み立て、構造上必要な鉄筋を配置し、レディーミクストコンクリートを打設する。コンクリートをシートかけおよび散水により養生した後、型枠を脱型し、コンクリートが完全に硬化した後パネルを反転する。これに、直径１０〜２０ｃｍ、長さ２００ｃｍに切断したスギの間伐材を敷き詰め、この間伐材を等辺山形鋼で係止し、本発明の魚礁用部材（パネルＢ）を得た。
【実施例３】
【００２７】
実施例１で得られた魚礁用部材を上部に、実施例２で得られた魚礁用部材を中間部に、実施例２で得られた構造の異なる魚礁用部材を下部にして棚状に重ね合わせてシャフトで連結し、本発明の魚礁用部材間に空間を形成させた魚礁を得た。本魚礁の大きさはパネルＡの間伐材の高さを除いて２７０×２７０×１３４ｃｍであった。
【実施例４】
【００２８】
最下部の魚礁用部材の脚部が既存の魚礁（ＦＰ魚礁3.25型；海洋土木株式会社製）の上部に嵌合するようにした以外は実施例３で得られた
ものと同じ魚礁を、既存の魚礁（ＦＰ魚礁3.25型；海洋土木株式会社製）に載置し、本発明の魚礁を得た。本魚礁の大きさはパネルＡの間伐材の高さを除いて３２５×３２５×４４９ｃｍであった。
【実施例５】
【００２９】
コンクリートパネルの平面形状が底辺１８３ｃｍ、高さが１３６ｃｍの三角形で、厚さが１５ｃｍである以外は実施例１と同様の三角形魚礁用部材（パネルＣ）を得た。この魚礁用部材4枚を立てかけて海底に沈設し、本発明の魚礁用部材だけで構成した魚礁とした。
【図面の簡単な説明】
【００３０】
【図１】本発明の魚礁用部材を上面からみた斜視図を示す。図１Ａは実施例１の魚礁用部材（パネルＡ）、図１Ｂ−１は実施例２の魚礁用部材（パネルＢ）の一実施形態、図１Ｂ−２は実施例２の魚礁用部材（パネルＢ）の他の実施形態を示す。
【図２】本発明の魚礁用部材を下面からみた斜視図を示す。図２Ａは実施例１の魚礁用部材（パネルＡ）、図２Ｂ−１は実施例２の魚礁用部材（パネルＢ）の一実施形態、図２Ｂ−２は実施例２の魚礁用部材（パネルＢ）の他の実施形態を示す。
【図３】本発明の実施例3の魚礁用部材パネルＡおよびパネルＢを複数枚棚状に重ね合わせて連結した魚礁の一例を示す。
【図４】本発明の実施例４の既存の魚礁に載置した魚礁の一例を示す。
【図５】本発明の実施例５の魚礁用部材パネルＣだけで構成した魚礁の一例を示す。
【符号の説明】
【００３１】
１  間伐材
２  コンクリートパネル
３  柱部
４  棚部
５  等辺山形鋼
６  シャフト孔
７  ＦＰ魚礁
【図１】
2005137267.tif 000002
【図２】
2005137267.tif 000003
【図３】
2005137267.tif 000004
【図４】
2005137267.tif 000005
【図５】
2005137267.tif 000006